【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
式（１）：
【化１】
2008545606.tif 000001
〔式中、
ナノ粒子は、ＳｉＯ２、Ａｌ２Ｏ３またはＳｉＯ２とＡｌ２Ｏ３の混合のナノ粒子であり、
Ｒ１およびＲ２は、互いに独立して、水素、ナノ粒子表面−Ｏ−または置換基であり、
ｎは、１、２、３、４、５、６、７または８であり、そして
Ｙは、式（２ａ）：
【化２】
2008545606.tif 000002
で示される基であり、
ここで、
Ｂ１は、直接結合または架橋員であり、そして
Ｄ１は、カチオン性染料の基、水溶性基を担持しないフタロシアニン染料の基、またはクマリン、ベンゾクマリン、キサンテン、ベンゾ〔ａ〕キサンテン、ベンゾ〔ｂ〕キサンテン、ベンゾ〔ｃ〕キサンテン、フェノキサジン、ベンゾ〔ａ〕フェノキサジン、ベンゾ〔ｂ〕フェノキサジン、ベンゾ〔ｃ〕フェノキサジン、ナフタルイミド、ナフトラクタム、アザラクトン、メチン、オキサジン、チアジン、ジケトピロロピロール、キナクリドン、ベンゾキサンテン、チオ−エピンドリン、ラクタムイミド、ジフェニルマレイミド、アセトアセトアミド、イミダゾチアジン、ベンゾアントロン、フタルイミド、ベンゾトリアゾール、ピリミジン、ピラジンおよびトリアジンからなる群より選択される蛍光染料の基であるか、或いは
Ｙは、式（２ｂ）：
【化３】
2008545606.tif 000003
で示される基であり、
ここで、
Ｂ２は、陰電荷を有する少なくとも１つの基を含む有機基であり、そして
Ｄ２は、モノアゾ、ジスアゾ、ポリアゾ、メチン、アザメチン、ジフェニルメタン、トリフェニルメタン、トリアミノトリアリールメタン、アジン、オキサジン、シアニンおよびアントラキノン染料からなる群より選択されるカチオン性染料である〕
で示される共有結合基を表面に含む機能化ナノ粒子。
【請求項２】
式（１６）：
【化７】
2008545606.tif 000004
〔式中、
ナノ粒子は、ＳｉＯ２、Ａｌ２Ｏ３またはＳｉＯ２とＡｌ２Ｏ３の混合のナノ粒子であり、
Ｒ１１は、アミノ、メルカプトもしくはヒドロキシルにより置換されていてもよいおよび／または−Ｏ−、−Ｓ−、−Ｎ（Ｒ１４）−、−ＣＯ−、−Ｏ−ＣＯ−もしくは−ＣＯ−Ｏ−により中断されていてもよい、Ｃ１〜Ｃ２５アルキルまたはＣ２〜Ｃ２４アルケニル；Ｃ５〜Ｃ１２シクロアルキル；Ｃ５〜Ｃ１２シクロアルケニル；またはそれぞれ架橋員を介して結合してもよい重合性基もしくはポリマーであり、
Ｒ１２およびＲ１３は、互いに独立して、水素、ナノ粒子表面−Ｏ−または置換基であり、そして
Ｒ１４は、水素またはＣ1〜Ｃ4アルキルである〕
で示される共有結合基を表面に追加的に含む、請求項１記載の機能化ナノ粒子。
【請求項３】
式（１７）：
【化１０】
2008545606.tif 000005
〔式中、
ナノ粒子は、ＳｉＯ２、Ａｌ２Ｏ３またはＳｉＯ２とＡｌ２Ｏ３の混合のナノ粒子であり、
Ｒ１５およびＲ１６は、互いに独立して、水素、ナノ粒子表面−Ｏ−または置換基であり、
ｎは、１、２、３、４、５、６、７または８であり、
Ｂ３は、直接結合または架橋員であり、そして
Ｌは、安定剤の残基である〕
で示される共有結合基を表面に追加的に含む、請求項１又は２記載の機能化ナノ粒子。
【請求項４】
Ｌが、立体障害アミン、２−ヒドロキシフェニルベンゾトリアゾール、２−ヒドロキシフェニルベンゾフェノン、オキサルアニリド、２−ヒドロキシフェニル−４，６−ジアリールトリアジンまたは立体障害フェノール型からなる群より選択される
請求項３記載の機能化ナノ粒子。
【請求項５】
Ｌが、下記式：
【化１３】
2008545606.tif 000006
2008545606.tif 000007
2008545606.tif 000008
2008545606.tif 000009
2008545606.tif 000010
で示される基であり、
ここで、
Ｒ２０が、Ｈ、Ｃ１〜Ｃ１８アルキル、Ｃ７〜Ｃ１１フェニルアルキル、Ｃ２〜Ｃ６アルコキシアルキルまたはＣ５〜Ｃ１２シクロアルキルであり；
Ｒ２１が、水素、オキシル、ヒドロキシル、Ｃ１〜Ｃ１８アルキル、Ｃ３〜Ｃ８アルケニル、Ｃ３〜Ｃ８アルキニル、Ｃ７〜Ｃ１２アラルキル、Ｃ１〜Ｃ１８アルコキシ、Ｃ１〜Ｃ１８ヒドロキシアルコキシ、Ｃ５〜Ｃ１２シクロアルコキシ、Ｃ７〜Ｃ９フェニルアルコキシ、Ｃ１〜Ｃ８アルカノイル、Ｃ３〜Ｃ５アルケノイル、Ｃ１〜Ｃ１８アルカノイルオキシ、ベンジルオキシ、グリシジルまたは基−ＣＨ２ＣＨ（ＯＨ）−Ｇであり、Ｇが、水素、メチルまたはフェニルであり、
Ｒ２２が、Ｈ、Ｃｌ、Ｃ１〜Ｃ４アルキルまたはＣ１〜Ｃ４アルコキシであり；
Ｒ２３がＣ１〜Ｃ１２アルキルであり；
Ｒ′２３が、ＨまたはＣ１〜Ｃ１２アルキルであり；
Ｒ２４が、ＨまたはＯＨであり；
Ｒ２５が、Ｈ、Ｃｌ、ＯＨまたはＣ１〜Ｃ１８アルコキシであり；
Ｒ′２５が、Ｈ、ＣｌまたはＣ１〜Ｃ４アルキルであり；
Ｒ２６が、Ｈ、Ｃｌ、ＯＨまたはＣ１〜Ｃ１８アルコキシであり；
Ｒ２７およびＲ２９が、互いに独立して、Ｈ、ＯＨ、Ｃｌ、ＣＮ、フェニル、Ｃ１〜Ｃ６アルキル、Ｃ１〜Ｃ１８アルコキシ、Ｏにより中断されているおよび／もしくはＯＨにより置換されているＣ４〜Ｃ２２アルコキシ、またはＣ７〜Ｃ１４フェニルアルコキシであり：
Ｒ２８およびＲ３０が、互いに独立して、Ｈ、ＯＨ、Ｃｌ、Ｃ１〜Ｃ６アルキルまたはＣ１〜Ｃ６アルコキシであり；
Ｒ３１およびＲ′３１が、互いに独立して、Ｒ２０で示されている意味のうちの１つを有するか、または一緒になって、テトラメチレンもしくは−オキサメチレン、またはペンタメチレンもしくは−オキサメチレンを形成し；
Ｒ３２が、Ｃ１〜Ｃ１８アルキル、Ｃ２〜Ｃ４アルケニルまたはフェニルであり；
Ｒ３３、Ｒ３４およびＲ３５が、互いに独立して、Ｈ、Ｃ１〜Ｃ１８アルキルまたはＣ１〜Ｃ１８アルコキシであり；
Ｒ３６が、水素または下記式：
【化１４】
2008545606.tif 000011
であり、
Ｒ３７が、Ｃ１〜Ｃ４アルキレンであり、
Ｒ３８およびＲ３９が、互いに独立して、水素、Ｃ１〜Ｃ１８アルキル、Ｃ７〜Ｃ９フェニルアルキル、フェニルまたはＣ５〜Ｃ８シクロアルキルであり、
Ｔ１およびＴ２が、互いに独立して、水素、Ｃ１〜Ｃ１８アルキル、フェニル−Ｃ１〜Ｃ４アルキル、または非置換であるか、ハロゲン−もしくはＣ１〜Ｃ４アルキル置換のフェニルもしくはナフチルであるか、或いはＴ１およびＴ２が、それらが結合している炭素原子と一緒になって、Ｃ５〜Ｃ１２シクロアルカン環を形成し、
Ｔ３が、Ｃ２〜Ｃ８アルカントリイルであり、
Ｔ４が、水素、Ｃ１〜Ｃ１８アルコキシ、Ｃ３〜Ｃ８アルケニルオキシまたはベンジルオキシであり、
Ｔ５が、Ｔ４と同じ意味を有するか、またはＴ４およびＴ５が、一緒になって−Ｏ−Ｃ２〜Ｃ８アルキレン−Ｏ−であるか、または
Ｔ４が水素である場合、Ｔ５が、−ＯＨもしくは−ＮＲ２０−ＣＯ−Ｒ３２であり；
Ｘ１が、式（１８ａ）の基であり、
Ｘ２が、Ｘ１と同じ意味を有するか、またはＣ１〜Ｃ１８アルコキシもしくは−ＮＲ３１Ｒ′３１であり；
Ｘ３が、直接結合、−ＮＲ２０−、−ＮＸ６−もしくは−Ｏ−であるか、または式：−Ｏ−ＣＯ−Ｘ５−ＣＯ−Ｏ−Ｘ６の基であり；ここで
Ｘ５が、Ｃ１〜Ｃ１２アルカントリイルであり、そして
Ｘ６が、下記式：
【化１５】
2008545606.tif 000012
で示される基である
請求項３又は４記載の機能化ナノ粒子。
【請求項６】
式（１′）：
【化１６】
2008545606.tif 000013
〔式中、
ナノ粒子は、ＳｉＯ２、Ａｌ２Ｏ３またはＳｉＯ２とＡｌ２Ｏ３の混合のナノ粒子であり、
Ｒ１およびＲ２は、互いに独立して、水素、ナノ粒子表面−Ｏ−または置換基であり、
ｎは、１、２、３、４、５、６、７または８であり、そして
Ｙは、式（２′）：
【化１７】
2008545606.tif 000014
で示される基であり、
ここで、
Ｂ１は、直接結合または架橋員であり、そして
Ｄ１′は、蛍光ペリレン染料の基である〕
で示される共有結合基を表面に含み、
機能化ナノ粒子が、請求項２で定義された式（１６）の共有結合基または請求項３で定義された式（１７）の基を表面に追加的に含む
機能化ナノ粒子。
【請求項７】
（ａ）有機物質、および
（ｂ）請求項１〜６のいずれか１項記載の機能化ナノ粒子
を含む組成物。
【請求項８】
追加的な添加剤が成分（ａ）および（ｂ）の他に存在する、請求項７記載の組成物。
【請求項９】
有機物質の着色のための請求項１〜６のいずれか１項記載の機能化ナノ粒子の使用。